(57)【要約】【課題】外周面に緩衝材が形成された巻芯にウェブ材を巻き取る際、緩衝材の表面に皺が生じないウェブ材の巻き取り方法を提供する。【解決手段】本発明のウェブ材の巻き取り方法は、巻芯１０の外周面に緩衝材１１が形成されており、緩衝材の表面に、巻芯の軸方向に延びる帯状のカバーテープ１４を貼り付ける工程と、カバーテープの上に、両面粘着テープ１３を介してウェブ材１２の端部を貼り付ける工程と、ウェブ材を、ウェブ材に張力を付加しながら巻芯に巻き取る工程とを含み、カバーテープは、その硬さが緩衝材よりも硬く、かつ、その厚みが緩衝材よりも薄い。【選択図】図１
2019006531.tif 000002
【特許請求の範囲】
【請求項１】
ウェブ材を巻芯に巻き取る巻き取り方法であって、
前記巻芯の外周面に緩衝材が形成されており、
（ａ）前記緩衝材の表面に、前記巻芯の軸方向に延びる帯状のカバーテープを貼り付ける工程と、
（ｂ）前記カバーテープの上に、両面粘着テープを介して、前記ウェブ材の端部を貼り付ける工程と、
（ｃ）前記ウェブ材を、該ウェブ材に張力を付加しながら前記巻芯に巻き取る工程と
を含み、
前記カバーテープは、その硬さが前記緩衝材よりも硬く、かつ、その厚みが前記緩衝材よりも薄い、ウェブ材の巻き取り方法。
【請求項２】
前記緩衝材は、ポリウレタン系、ポリオレフィン系、またはポリスチレン系の発泡樹脂からなり、
前記カバーテープは、ポリエチレンテレフタレート樹脂、ポリスチレン樹脂、アクリル樹脂、またはポリカーボネード樹脂からなる、請求項１に記載のウェブ材の巻き取り方法。
【請求項３】
前記カバーテープの厚みは、２５〜２００μｍの範囲にある、請求項１に記載のウェブ材の巻き取り方法。
【請求項４】
前記緩衝材は、帯状の緩衝材シートを、前記巻芯の外周面に巻き付けることにより、前記巻芯の外周面に形成されており、
前記工程（ａ）において、前記カバーテープは、前記緩衝材シートの繋ぎ目を覆うように、前記緩衝材の表面に貼り付けられる、請求項１に記載のウェブ材の巻き取り方法。
【請求項５】
ウェブ材を巻芯に巻き取る巻き取り方法であって、
前記巻芯の外周面に帯状の緩衝材シートが巻き付けられており、
（ａ）前記緩衝材シートの繋ぎ目を覆うように、カバーテープを貼り付ける工程と、
（ｂ）前記緩衝材シートの上に、両面粘着テープを介して、前記ウェブ材の端部を貼り付ける工程と、
（ｃ）前ウェブ材を、該ウェブ材に張力を付加しながら前記巻芯に巻き取る工程と
を含み、
前記カバーテープは、その硬さが前記緩衝材シートよりも硬く、かつ、その厚みが前記緩衝材シートよりも薄い、ウェブ材の巻き取り方法。
【発明の詳細な説明】
【技術分野】
【０００１】
本発明は、ウェブ材を巻芯に巻き取る巻き取り方法に関し、特に、外周面に緩衝材が形成された巻芯に、ウェブ材を巻き取る巻き取り方法に関する。
【背景技術】
【０００２】
フィルムやシート等のウェブ材をロール状に巻き取るには、円筒状の巻芯の外周面にウェブ材の先端を粘着材等で固定した後、巻芯を回転させて巻き取る方法が一般に用いられている。
【０００３】
ところで、巻芯の表面は、一般に硬いために、可塑性を有するウェブ材をロール状に巻き取る場合、巻芯の外周面と、ウェブ材の巻き付け端部との間に段差が生じ、この段差上に巻かれたウェブ材には、段差により不可逆な変形が生じる。そして、その変形したウェブ材に巻き重ねられたウェブ材にも同様の変形が転写する。その結果、巻き始めから数周〜数十周以上にわたって、ウェブ材に歪み等の不可逆な段差痕が生じるという問題があった。このような段差痕の発生は、ウェブ材の平坦性を低下させることになり、製品ロスやコストアップの原因になっていた。
【０００４】
このような段差痕の発生を低減させるために、特許文献１には、巻芯の外周面に、緩衝層を設ける技術が開示されている。この技術によれば、ウェブ材の巻き付け端部が、緩衝層内に沈み込むことによって、ウェブ材の厚みによる段差が緩和されるため、段差痕を低減することができる。
【先行技術文献】
【特許文献】
【０００５】
【特許文献１】特開２００５−１６２４７８号公報
【発明の概要】
【発明が解決しようとする課題】
【０００６】
従来の段差痕低減を図ったウェブ材の巻き取り方法は、図７に示すように、円筒状の巻芯１００の外周面に緩衝材１１０を形成し、緩衝材１１０の表面に両面粘着テープ１３０を貼り付け、この両面粘着テープ１３０に、ウェブ材１２０の端部を固定した後、巻芯１００を回転させてウェブ材１２０を巻芯に巻き取るものである。
【０００７】
しかしながら、図８（ａ）に示すように、ウェブ材１２０を巻芯１００に巻き取る際、ウェブ材１２０に一定の張力Ｆを付加しながら巻き取られる。そのため、ウェブ材１２０の巻き取り初期において、両面粘着テープ１３０に接した緩衝材１１０の表面は、ウェブ材１２０からの張力Ｆを受けて引っ張られる。ウェブ材１２０に付加される張力Ｆは、必ずしもウェブ材１２０の幅方向（巻芯１００の軸方向）に均一に作用しないため、緩衝材１１０が柔らかい材料で構成されていると、図８（ｂ）に示すように、緩衝材１１０の表面に皺１４０が生じる場合がある。
【０００８】
このように、ウェブ材１２０の巻き取り初期において、緩衝材１１０の表面に皺１４０が生じると、その上に巻かれたウェブ材１２０にも、緩衝材１１０の表面に生じた皺１４０が転写され、その結果、ウェブ材１２０の平坦性が低下し、製品ロスやコストアップを招くという問題が生じる。
【０００９】
本発明は、このような課題に鑑みなされたもので、その主な目的は、外周面に緩衝材が形成された巻芯にウェブ材を巻き取る際、緩衝材の表面に皺が生じないウェブ材の巻き取り方法を提供することにある。
【課題を解決するための手段】
【００１０】
本発明に係るウェブ材の巻き取り方法は、巻芯の外周面に緩衝材が形成されており、緩衝材の表面に、巻芯の軸方向に延びる帯状のカバーテープを貼り付ける工程と、カバーテープの上に、両面粘着テープを介して、ウェブ材の端部を貼り付ける工程と、ウェブ材を、ウェブ材に張力を付加しながら巻芯に巻き取る工程とを含み、カバーテープは、その硬さが緩衝材よりも硬く、かつ、その厚みが緩衝材よりも薄いことを特徴とする。
【発明の効果】
【００１１】
本発明によれば、外周面に緩衝材が形成された巻芯にウェブ材を巻き取る際、緩衝材の表面に皺が生じないウェブ材の巻き取り方法を提供することができる。
【図面の簡単な説明】
【００１２】
【図１】（ａ）、（ｂ）は、本発明の一実施形態におけるウェブ材の巻き取り方法を模式的に示した部分断面図である。
【図２】１層目から４層目のウェブ材が、巻芯に巻き取られた状態を示した部分断面図である。
【図３】（ａ）は、帯状の緩衝材シートを、継ぎ目が巻芯の軸方向と平行になるように、巻芯の外周面に巻き付けた状態を示した図で、（ｂ）は、緩衝材シートの継ぎ目において、Ｖ字状の溝が生じた状態を示した図で、（ｃ）は、ウェブ材を巻芯に巻き取った際、緩衝材シートの繋ぎ目に生じた溝にウェブ材が沈み込んだ状態を示した図である。
【図４】カバーテープを、緩衝材シートの繋ぎ目を覆うように、緩衝材の表面に貼り付けた状態を示した図である。
【図５】（ａ）は、カバーテープの上に、両面粘着テープを介して、ウェブ材の端部を貼り付けた状態を示した図で、（ｂ）は、ウェブ材が巻芯に巻き取られた状態を示した図である。
【図６】帯状の緩衝材シートを、繋ぎ目が巻芯の表面に螺旋状になるように、巻芯の外周面に巻き付けた状態を示した図である。
【図７】従来の段差痕低減を図ったウェブ材の巻き取り方法を示した図である。
【図８】（ａ）は、ウェブ材に一定の張力を付加しながら巻き取る状態を示した図で、（ｂ）は、緩衝材の表面に皺が生じる状態を示した図である。
【発明を実施するための形態】
【００１３】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１４】
図１（ａ）、（ｂ）は、本発明の一実施形態におけるウェブ材の巻き取り方法を模式的に示した部分断面図である。
【００１５】
なお、本実施形態のウェブ材の巻き取り方法において、巻芯１０の外周面には、段差痕の発生を低減させるための緩衝材１１が形成されている。この緩衝材１１は、例えば、帯状の緩衝材シートを、巻芯１０の外周面に巻き付けることにより形成することができる。
【００１６】
本実施形態におけるウェブ材の巻き取り方法は、まず、図１（ａ）に示すように、緩衝材１１の表面に、巻芯１０の軸方向（紙面に垂直方法）に延びる帯状のカバーテープ１４を貼り付ける。ここで、カバーテープ１４は、緩衝材１１よりも硬い材料からなる。
【００１７】
次に、図１（ｂ）に示すように、カバーテープ１４の上に、両面粘着テープ１３を介して、ウェブ材１２の端部を貼り付けた後、ウェブ材１２に張力Ｆを付加しながら、ウェブ材１２を巻芯１０に巻き取る。
【００１８】
このとき、両面粘着テープ１３に接したカバーテープ１４の表面は、ウェブ材１２からの張力Ｆを受けて引っ張られるが、カバーテープ１４は硬い材料で構成されているため、たとえウェブ材１２に付加される張力Ｆが、ウェブ材１２の幅方向に均一に作用していても、カバーテープ１４の表面に、図８（ｂ）に示したような皺１４０が生じることがない。
【００１９】
なお、カバーテープ１４に接した緩衝材１１の表面も、カバーテープ１４を介して、ウェブ材１２からの張力Ｆを受けて引っ張られるが、カバーテープ１４が介在することにとって、張力Ｆが均一に分散されるため、緩衝材１１の表面に皺が生じることはない。また、たとえ緩衝材１１の表面に若干の皺が生じたとしても、緩衝材１１とウェブ材１２とは直接には接していないため、その皺がウェブ材１２に転写されることはない。
【００２０】
図２は、１層目から４層目のウェブ材１２Ａ〜１２Ｄが、巻芯１０に巻き取られた状態を示した部分断面図である。
【００２１】
図２に示すように、１層目のウェブ材１２Ａの端部は、２層目以降のウェブ材１２Ｂ〜１２Ｄの巻き取りによって、緩衝材１１の中に、ウェブ材１２Ａの厚み分だけ沈み込む。これにより、ウェブ材１２Ａの巻き付け端部での段差に起因して発生する段差痕を抑制することができる。このとき、緩衝材１１の表面に貼り付けられたカバーテープ１４は、ウェブ材１２Ａの沈み込みと同時に、緩衝材１１の中に沈み込む。そのため、カバーテープ１４の厚みは、緩衝材１１の厚みよりも薄いことが好ましい。
【００２２】
本発明のウェブ材の巻き取り方法によれば、緩衝材１１の表面に、緩衝材１１よりも硬い材料からなるカバーテープ１４を貼り付け、このカバーテープ１４の上に、両面粘着テープ１３を介してウェブ材１２の端部を貼り付けることによって、緩衝材１１の表面に皺が生じることを抑制することができる。また、巻芯１０の外周面に緩衝材１１を形成しているため、ウェブ材１２の巻き付け端部での段差に起因して発生する段差痕も抑制することができる。これにより、ウェブ材１２の平坦性低下に伴う製品ロスやコストアップを抑制することができる。
【００２３】
本実施形態において、緩衝材１１は、弾性若しくは可塑性を有し、段差痕の低減に効果を奏する特性を有するものであれば、その材料や厚み等は特に限定されない。例えば、緩衝材１１の材料として、ポリウレタン系、ポリオレフィン系、ポリスチレン系の発泡樹脂を用いることができる。緩衝材１１は、典型的には、歪み２５％における圧縮応力が０．１ＭＰａ以下の材料であることが好ましい。また、緩衝材１１の厚みは、ウェブ材１２の厚みに応じて適宜決めればよいが、典型的には、ウェブ材１２の厚みに対して、２〜１０倍程度の厚みであることが好ましい。
【００２４】
また、本実施形態において、カバーテープ１４は、緩衝材１１よりも硬い材料であれば、特に限定されない。例えば、ポリエチレンテレフタレート樹脂、ポリスチレン樹脂、アクリル樹脂、ポリカーボネード樹脂等の樹脂を用いることができる。カバーテープ１４の硬さは、典型的には、ロックウェル硬度（ＪＩＳ  Ｋ７２０２に準拠）がＭスケールで７０以上が好ましい。また、カバーテープ１４の厚みは、特に限定されないが、典型的には、２５〜２００μｍの範囲にあることが好ましい。
【００２５】
ところで、本実施形態のウェブ材の巻き取り方法において、巻芯１０の外周面に、段差痕の発生を低減させるための緩衝材１１を形成している。この緩衝材１１は、例えば、例えば、図３（ａ）に示すように、帯状の緩衝材シートを、継ぎ目Ｊが巻芯１０の軸方向と平行になるように、巻芯１０の外周面に巻き付けることにより形成することができる。
【００２６】
しかしながら、巻芯１０の外周面に緩衝材シート１１を巻き付ける際、緩衝材シート１１は一定の厚みがあるため、図３（ｂ）に示すように、内側の円周と外側の円周とでは、２πｒ（ｒは、緩衝層の厚み）の差が必然的に生じる。そのため、緩衝材シート１１の継ぎ目Ｊにおいて、円周の差に起因したＶ字状の溝（最大の溝幅Ｌ＝２πｒ）が生じてしまう。
【００２７】
このような状態でウェブ材１２を巻芯１０に巻き取ると、図３（ｃ）に示すように、緩衝材シート１１の繋ぎ目Ｊに生じた溝に、ウェブ材１２が沈み込む。そのため、緩衝材シート１１の溝の位置に、従来の段差痕とは違う、ウェブ材１２の歪み２０が新たに発生するという問題がある。特に、ウェブ材１２の厚みが薄くなると、ウェブ材１２の厚みに対して、緩衝材シート１１の溝幅Ｌが相対的に大きくなるため、このような緩衝材シート１１の溝に起因したウェブ材１２の歪み２０の発生が顕著になる。
【００２８】
そこで、本願発明者は、図４に示すように、カバーテープ１４を、緩衝材シート１１の繋ぎ目Ｊを覆うように、緩衝材１１の表面に貼り付けることによって、緩衝材１１の表面に皺が発生するのを抑制するとともに、緩衝材シート１１の溝に起因したウェブ材１２の歪み２０の発生も抑制できると考えた。
【００２９】
図５（ａ）は、カバーテープ１４を、緩衝材シート１１の繋ぎ目Ｊを覆うように、緩衝材１１の表面に貼り付けた後、カバーテープ１４の上に、両面粘着テープ１３を介して、ウェブ材１２の端部を貼り付けた状態を示した部分断面図である。
【００３０】
図５（ｂ）は、ウェブ材１２に張力を付与しながら、ウェブ材１２が、巻芯１０に巻き取られた状態を示した部分断面図である。
【００３１】
図５（ｂ）に示すように、１層目のウェブ材１２の端部が、その厚み分だけ緩衝材１１の中に沈み込むと同時に、緩衝材１１の表面に貼り付けられたカバーテープ１４も、緩衝材１１の中に沈み込む。このとき、1層目のウェブ材１２と、緩衝材シート１１の繋ぎ目Ｊに生じた溝と間には、材質の硬いカバーテープ１４が介在しているため、緩衝材シート１１の繋ぎ目Ｊに生じた溝に、ウェブ材１２が沈み込みことはない。そのため、緩衝材シート１１の溝に起因したウェブ材１２の歪みが発生するのを抑制することができる。
【００３２】
巻芯１０の外周面に緩衝材１１を形成する他の方法として、図６に示すように、帯状の緩衝材シート１１を、繋ぎ目Ｊが巻芯１０表面に螺旋状になるように、巻芯１０の外周面に巻き付ける方法がある。この場合も、図６に示すように、カバーテープ１４を、緩衝材シート１１の繋ぎ目Ｊを覆うように、緩衝材１１の表面に貼り付けることによって、緩衝材１１の表面に皺が発生するのを抑制するとともに、緩衝材シート１１の溝に起因したウェブ材１２の歪み２０の発生も抑制できる。
【００３３】
以上、本発明を好適な実施形態により説明してきたが、こうした記述は限定事項ではなく、もちろん、種々の改変が可能である。例えば、上記実施形態では、両面粘着テープ１３をカバーテープ１４に貼り付けた後、ウェブ材１２を両面粘着テープ１３で固定したが、ウェブ材１２に両面粘着テープ１３を貼り付けた状態で、ウェブ材１２をカバーテープ１４に貼り付けてもよい。すなわち、カバーテープ１４の表面に、両面粘着テープ１３を貼り付ける工程と、カバーテープ１４の上に、両面粘着テープ１３を介して、ウェブ材１２の端部を貼り付ける工程とは、同時に行ってもよい。
【００３４】
また、上記実施形態では、図１（ｂ）に示したように、カバーテープ１４の上に、両面粘着テープ１３を介して、ウェブ材１２の端部を貼り付ける際、ウェブ材１２の端部を、カバーテープ１４の端部よりも内側にして貼り付けたが、カバーテープ１４の端部よりも外側にはみ出して貼り付けてもよい。
【００３５】
また、上記実施形態では、図５に示したように、緩衝材シート１１の繋ぎ目Ｊを覆うようにカバーテープ１４を貼り付け、そのカバーテープ１４の上に、両面粘着テープ１３を介して、ウェブ材１２の端部を貼り付けたが、繋ぎ目Ｊと違う位置の緩衝材１１の上に、別のカバーテープ１４を貼り付け、このカバーテープ１４の上に、両面粘着テープ１３を介して、ウェブ材１２の端部を貼り付けてもよい。これにより、緩衝材シート１１の繋ぎ目Ｊを覆うように貼り付けたカバーテープ１４は、緩衝材シート１１の溝に起因したウェブ材１２の歪みの発生も抑制し、繋ぎ目Ｊと違う位置の緩衝材シート１１の上に貼り付けたカバーテープ１４は、緩衝材１１の表面に皺が発生するのを抑制することができる。
【００３６】
すわなち、本発明の他の実施形態におけるウェブ材の巻き取り方法は、巻芯１０の外周面に帯状の緩衝材シート１１が巻き付けられており、緩衝材シート１１の繋ぎ目を覆うように、カバーテープ１４を貼り付ける工程と、緩衝材シート１１の上に、両面粘着テープ１３を介して、ウェブ材１２の端部を貼り付ける工程と、ウェブ材１２を、ウェブ材１２に張力を付加しながら巻芯１０に巻き取る工程とを含み、カバーテープ１４は、その硬さが緩衝材シート１１よりも硬く、かつ、その厚みが緩衝材シート１１よりも薄いことを特徴とする。
【符号の説明】
【００３７】
１０      巻芯 
１１      緩衝材（緩衝材シート） 
１２      ウェブ材 
１３      両面粘着テープ 
１４      カバーテープ 
【図１】
2019006531.tif 000003
【図２】
2019006531.tif 000004
【図３】
2019006531.tif 000005
【図４】
2019006531.tif 000006
【図５】
2019006531.tif 000007
【図６】
2019006531.tif 000008
【図７】
2019006531.tif 000009
【図８】
2019006531.tif 000010